(57)【特許請求の範囲】
【請求項１】
隔壁により内部が上側のゴミ収容空間と下側の機器配置空間とに分離されているゴミ箱本体と、
前記隔壁より下において水平方向に前記ゴミ箱本体の外側から前記機器配置空間内に出し入れ可能にされている挿脱式捕獲箱とを備え、
前記ゴミ箱本体には、前記隔壁より下において前記機器配置空間に連通するネズミ進入口が設けられ、
前記挿脱式捕獲箱は、前記機器配置空間内における収納時の奥側の端部において、前記ネズミ進入口を通って前記機器配置空間内に進入したネズミが通る捕獲箱入口と、該捕獲箱入口を開閉自在に閉じるシャッタとを有し、
前記ゴミ箱本体及び／又は前記挿脱式捕獲箱には、前記挿脱式捕獲箱にネズミが進入したことを検出するネズミ検出部と、前記ネズミ検出部がネズミの進入を検出したとき、前記挿脱式捕獲箱の前記シャッタを開放位置から閉鎖位置に切り替える閉鎖機構とが設けられ、
前記ゴミ箱本体は、前記機器配置空間の下側を画成する底壁と、該底壁より下に設けられて前記底壁と前記ゴミ箱本体が載置される載置面との間にネズミが進入可能な空間を形成する脚と、を有し、
前記ネズミ進入口は、前記底壁に形成されていることを特徴とするネズミ捕獲装置。
【請求項２】
隔壁により内部が上側のゴミ収容空間と下側の機器配置空間とに分離されているゴミ箱本体と、
前記隔壁より下において水平方向に前記ゴミ箱本体の外側から前記機器配置空間内に出し入れ可能にされている複数の挿脱式捕獲箱とを備え、
前記ゴミ箱本体には、前記隔壁より下において前記機器配置空間に連通するネズミ進入口が設けられ、
前記挿脱式捕獲箱は、前記機器配置空間内における収納時の奥側の端部において、前記ネズミ進入口を通って前記機器配置空間内に進入したネズミが通る捕獲箱入口と、該捕獲箱入口を開閉自在に閉じるシャッタとを有し、
前記ゴミ箱本体及び／又は前記挿脱式捕獲箱には、前記挿脱式捕獲箱にネズミが進入したことを検出するネズミ検出部と、前記ネズミ検出部がネズミの進入を検出したとき、前記挿脱式捕獲箱の前記シャッタを開放位置から閉鎖位置に切り替える閉鎖機構とが設けられ、
前記複数の挿脱式捕獲箱は、前記ゴミ箱本体の正面の水平方向のそれぞれ異なる位置に形成された挿脱開口から前記機器配置空間内に出し入れ可能になっていることを特徴とするネズミ捕獲装置。
【請求項３】
請求項１又は２記載のネズミ捕獲装置において、
さらに、前記ネズミ検出部によって検出されるネズミの存否についての存否情報を含む検出情報を通知する通知部を備えていることを特徴とするネズミ捕獲装置。
【請求項４】
請求項３記載のネズミ捕獲装置において、
さらに、前記シャッタが前記捕獲箱入口を閉鎖していることを検出する閉鎖検出部を備え、
前記通知部は、前記閉鎖検出部が検出した閉鎖情報を前記検出情報に含ませることを特徴とするネズミ捕獲装置。
【請求項５】
請求項１〜４のいずれか１項に記載のネズミ捕獲装置において、
前記シャッタが開放位置から閉鎖位置に移動したとき、自動的又は手動的に前記シャッタを閉じた状態に保持する開き止め機構が設けられていることを特徴とするネズミ捕獲装置。
【発明の詳細な説明】
【技術分野】
【０００１】
本発明は、ネズミを捕獲するネズミ捕獲装置に関する。
【背景技術】
【０００２】
例えば、鉄道の駅構内に配備されたゴミ箱では、ネズミが出没し、その捕獲が要望されている。
【０００３】
特許文献１は、ゴミ箱に適用されるネズミ捕獲装置を開示する。このネズミ捕獲装置によれば、ゴミ箱の上部開口部に、ゴミ箱の蓋を兼ねる揺動式落とし蓋が設けられるとともに、ネズミ捕獲装置内の底部にネズミの好むエサが仕掛けられている。ネズミが、揺動式落とし蓋の上に来ると、揺動式落とし蓋がネズミの重量で揺動し、ネズミは、ゴミ箱の上部開口部から中に落下して、捕獲される。
【０００４】
特許文献２は、開口部を介して捕獲空間内に進入したネズミを自動的に捕獲するネズミ捕獲装置を開示する。該ネズミ捕獲装置は、捕獲空間内に揺動式踏み板が設けられ、ネズミが該踏み板を踏むと、該踏み板が揺動し、この揺動がワイヤを介して開口部のシャッタに伝えられ、シャッタが開口部を閉鎖する仕組みになっている。
【０００５】
特許文献３は、通信システムを開示する。該通信システムによれば、複数の端末が共通のゲートウェイに接続されるとともに、該ゲートウェイがネットを介してサーバに接続される。そして、サーバは、ネットを介して各端末からの情報を収集する。
【先行技術文献】
【特許文献】
【０００６】
【特許文献１】実開昭５３−３２８１号公報
【特許文献２】特開２０００−２３６７９６号公報
【特許文献３】特開２０１９−１０１６５８号公報
【発明の概要】
【発明が解決しようとする課題】
【０００７】
人通りの多い駅構内等のごみ箱に捕獲箱を仕掛ける場合、捕獲箱にネズミが捕獲されたら、そのまま長く放置せず、速やかにゴミ箱内のネズミを処理することが好ましい。しかし、そのためには、係員が、駅構内に分散するゴミ箱を頻繁に巡回する必要があるとともに、もしネズミがゴミ箱内に捕獲されていれば、ネズミを捕獲場所とは別の適切な場所に運んでから、処理（例：捕殺等）する必要がある。
【０００８】
特許文献１のネズミ捕獲装置では、ゴミ箱自体が捕獲箱になるので、捕獲したネズミを別の場所に移動することは、ゴミ箱ごと移動する必要があり、捕獲後の処理が煩雑となる。
【０００９】
特許文献２のネズミ捕獲装置は、ゴミ箱内に仕掛けることは一応可能であるものの、ゴミ箱から取り出すときは、ゴミ箱のふたを外して、上のゴミをどかしてから取り出す必要があり、取り出し作業に手間がかかる。
【００１０】
特許文献３は、端末とサーバとの通信を開示するのみで、ネズミ捕獲システムとして具体的にどのように使用するのかを全く教示しない。
【００１１】
本発明の目的は、ゴミ箱においてネズミを捕獲する場合の一連の作業を簡単化することできるネズミ捕獲装置及びネズミ捕獲システムを提供することである。
【課題を解決するための手段】
【００１２】
本発明のネズミ捕獲装置は、
隔壁により内部が上側のゴミ収容空間と下側の機器配置空間とに分離されているゴミ箱本体と、
前記隔壁より下において水平方向に前記ゴミ箱本体の外側から前記機器配置空間内に出し入れ可能にされている挿脱式捕獲箱とを備え、
前記ゴミ箱本体には、前記隔壁より下において前記機器配置空間に連通するネズミ進入口が設けられ、
前記挿脱式捕獲箱は、前記機器配置空間内における収納時の奥側の端部において、前記ネズミ進入口を通って前記機器配置空間内に進入したネズミが通る捕獲箱入口と、該捕獲箱入口を開閉自在に閉じるシャッタとを有し、
前記ゴミ箱本体及び／又は前記挿脱式捕獲箱には、前記挿脱式捕獲箱にネズミが進入したことを検出するネズミ検出部と、前記ネズミ検出部がネズミの進入を検出したとき、前記挿脱式捕獲箱の前記シャッタを開放位置から閉鎖位置に切り替える閉鎖機構とが設けられ、
前記ゴミ箱本体は、前記機器配置空間の下側を画成する底壁と、該底壁より下に設けられて前記底壁と前記ゴミ箱本体が載置される載置面との間にネズミが進入可能な空間を形成する脚と、を有し、
前記ネズミ進入口は、前記底壁に形成されている。
本発明の別のネズミ捕獲装置は、
隔壁により内部が上側のゴミ収容空間と下側の機器配置空間とに分離されているゴミ箱本体と、
前記隔壁より下において水平方向に前記ゴミ箱本体の外側から前記機器配置空間内に出し入れ可能にされている複数の挿脱式捕獲箱とを備え、
前記ゴミ箱本体には、前記隔壁より下において前記機器配置空間に連通するネズミ進入口が設けられ、
前記挿脱式捕獲箱は、前記機器配置空間内における収納時の奥側の端部において、前記ネズミ進入口を通って前記機器配置空間内に進入したネズミが通る捕獲箱入口と、該捕獲箱入口を開閉自在に閉じるシャッタとを有し、
前記ゴミ箱本体及び／又は前記挿脱式捕獲箱には、前記挿脱式捕獲箱にネズミが進入したことを検出するネズミ検出部と、前記ネズミ検出部がネズミの進入を検出したとき、前記挿脱式捕獲箱の前記シャッタを開放位置から閉鎖位置に切り替える閉鎖機構とが設けられ、
前記複数の挿脱式捕獲箱は、前記ゴミ箱本体の正面の水平方向のそれぞれ異なる位置に形成された挿脱開口から前記機器配置空間内に出し入れ可能になっている。
【００１３】
本発明によれば、ネズミが捕獲されれば、そのことが通知部により通知されるので、作業員による定期的な見回りは、省略できる。また、ネズミは、ゴミ箱本体に挿脱可能になっている挿脱式捕獲箱に捕獲されるので、ネズミが捕獲されたときには、挿脱式捕獲箱をゴミ箱本体から離脱して、挿脱式捕獲箱ごと別の場所に運ぶことができる。これらにより、ゴミ箱においてネズミを捕獲する場合の一連の作業を簡単化することできる。
【００１４】
好ましくは、本発明のネズミ捕獲装置において、
前記ネズミ検出部は、前記挿脱式捕獲箱内に配備され、ネズミが上に載ると変位する踏板からなり、
前記閉鎖機構は、前記踏板の変位に伴い、前記シャッタを開放位置から閉鎖位置に移動させる連動機構からなる。
【００１５】
この構成によれば、ネズミ検出部及び閉鎖機構は、機械式であるので、常時通電に伴う電力消費量を節約することができる。
【００１６】
好ましくは、本発明のネズミ捕獲装置において、
前記ネズミ検出部は、前記挿脱式捕獲箱の捕獲空間に赤外光を出射する赤外光出射部と、前記捕獲空間からの前記赤外光の反射量を受光する受光素子と、前記受光素子の受光量の変化によってネズミの進入を検出する進入判別部とを有し、
前記閉鎖機構は、前記シャッタを開放位置に保持する進退可能な係合部材と、前記進入判別部によりネズミの進入が検出されたとき、前記係合部材を退避させて前記シャッタを閉鎖位置に移動させるアクチュエータとを有している。
【００１７】
この構成によれば、ネズミ検出部は、赤外光を利用する電気式となる。この結果、ネズミ検出部は、挿脱式捕獲箱の外に配設可能となるので、挿脱式捕獲箱の内部構造を簡単化することができる。
【００１８】
好ましくは、本発明のネズミ捕獲装置において、
前記ネズミ検出部は、前記挿脱式捕獲箱の捕獲空間の底部に配置された圧力センサと、前記圧力センサの圧力の変化によってネズミの進入を検出する進入判別部とを有し、
前記閉鎖機構は、前記シャッタを開放位置に保持する進退可能な係合部材と、前記進入判別部によりネズミの進入が検出されたとき、前記係合部材を退避させて前記シャッタを閉鎖位置に移動させるアクチュエータとを有している。
【００１９】
この構成によれば、ネズミ検出部は、挿脱式捕獲箱の捕獲空間の底部に配置した圧力センサを使用する。この結果、挿脱式捕獲箱の内部構造を簡単化することができる。
【００２０】
好ましくは、本発明のネズミ捕獲装置において、
さらに、前記シャッタが前記捕獲箱入口を閉鎖していることを検出する閉鎖検出部を備え、
前記通知部は、前記閉鎖検出部が検出した閉鎖情報を前記検出情報に含ませる。
【００２１】
この構成によれば、シャッタの閉鎖情報が検出情報に含められる。この結果、ネズミが捕獲されていないにもかかわらず、振動やノイズ等により閉鎖機構が誤作動を起こして、シャッタが閉鎖位置になった事態に速やかに対応することができる。
【００２２】
好ましくは、本発明のネズミ捕獲装置において、
前記シャッタが開放位置から閉鎖位置に移動したとき、自動的又は手動的に前記シャッタを閉じた状態に保持する開き止め機構が設けられている。
【００２３】
この構成によれば、挿脱式捕獲箱をネズミ捕獲装置から脱離して、他の場所に運ぶときに、シャッタが不用意に開いてしまうことを防止することができる。
【００２４】
本発明のネズミ捕獲システムは、
複数のネズミ捕獲装置と、
サーバと、
前記複数のネズミ捕獲装置の各々と無線通信自在であるとともに、ネットを介して前記サーバに接続可能になっている単一のゲートウェイと、
を備えるネズミ捕獲システムであって、
前記ネズミ捕獲装置は、
内部にゴミが収容されるゴミ箱本体と、
前記ゴミ箱本体に挿脱可能に挿入される挿脱式捕獲箱とを備え、
前記ゴミ箱本体には、ネズミ進入口が設けられ、
前記挿脱式捕獲箱には、前記ネズミ進入口を通して前記ゴミ箱本体内に進入したネズミが入ることが可能な捕獲箱入口と、該捕獲箱入口を開閉自在に閉じるシャッタとが設けられ、
前記ゴミ箱本体及び／又は前記挿脱式捕獲箱には、前記挿脱式捕獲箱にネズミが進入したことを検出するネズミ検出部と、前記ネズミ検出部がネズミの進入を検出したとき、前記挿脱式捕獲箱の前記シャッタを開放位置から閉鎖位置に切り替える閉鎖機構とが設けられており、
前記ネズミ検出部によって検出されるネズミの存否についての存否情報を含む検出情報を通知する通知部を有しており、
前記サーバは、各ネズミ捕獲装置から前記ゲートウェイを介して受信した該ネズミ捕獲装置の前記通知部からの検出情報に基づいて各ネズミ捕獲装置におけるネズミの捕獲を判定する捕獲判定部を備える。
【００２５】
本発明のネズミ捕獲システムによれば、多数のネズミ捕獲装置に対するネズミ捕獲管理をサーバから一括で行うことができる。
【００２６】
好ましくは、本発明のネズミ捕獲システムにおいて、
各ネズミ捕獲装置と前記ゲートウェイとの無線通信は、Ｓｕｂ−ＧＨｚ無線による通信である。
【００２７】
本発明のネズミ捕獲システムによれば、ネズミ捕獲装置は、ゲートウェイと無線通信するので、ネズミ捕獲装置とゲートウェイとの間の電気配線を省略することができる。
【図面の簡単な説明】
【００２８】
【図１】ネズミ捕獲装置の正面図である。
【図２】挿脱式捕獲箱の挿脱の説明図である。
【図３】ネズミが挿脱式捕獲箱の捕獲空間に進入する経路の説明図である。
【図４】閉鎖機構が電気式となっている脱式捕獲箱の斜視図である。
【図５】閉鎖機構が機械式となっている挿脱式捕獲箱の斜視図である。
【図６】閉鎖機構が機械式となっている別の挿脱式捕獲箱の斜視図である。
【図７】図６の挿脱式捕獲箱を上方から示した模式図である。
【図８】自動の開き止め機構としての湾曲ばねの構成図である。
【図９】ネズミ検出部の構成図である。
【図１０】赤外光Ｒｉによるネズミの検出の説明図である。
【図１１】閉鎖検出部の構成図である。
【図１２】ネズミ捕獲システムの構成図である。
【図１３】ゲートウェイのハードウェア構成のブロック図である。
【図１４】サーバのハードウェア構成のブロック図である。
【図１５】ネズミ捕獲装置に装備されている制御部（図９）が実施する監視処理のフローチャートである。
【図１６】サーバの制御部が実施する処理のフローチャートである。
【発明を実施するための形態】
【００２９】
以下、本発明の好ましい実施形態について説明する。本発明は、以下の実施形態に限定されないことは言うまでもない。本発明は、明細書に開示した技術的思想の範囲内で種々の態様で実施される。なお、実施形態間で共通する構成要素は、同一の符号を付けている。
【００３０】
（ネズミ捕獲装置の外観）
図１は、ネズミ捕獲装置１０の正面図である。ネズミ捕獲装置１０は、ゴミ箱に組み込まれて、製作される。ネズミ捕獲装置１０は、ゴミ箱本体１１と複数の挿脱式捕獲箱１２とを備えている。ネズミ捕獲装置１０は、例えば鉄道駅の構内、商業施設又は運動施設等の多数の人が行きかったり、集まるサイト内に配備される。
【００３１】
ゴミ箱本体１１は、上部において正面側に開口する投入口１４を有している。投入口１４は、ゴミ箱本体１１内のゴミ収容空間１３に連通している。サイトの利用客により投入口１４に投げ入れられたゴミは、ゴミ収容空間１３に貯留される。
【００３２】
ゴミ箱本体１１は、下部の各コーナ部に設けられた脚１５を介して床や通路の脇等の載置面１６に載置され、内部にゴミ収容空間１３を画成している。機器配置空間１７は、上側及び下側からそれぞれ隔壁１８及びゴミ箱本体１１の底壁１９の間に挟まれて、ゴミ収容空間１３の下側に形成されている。
【００３３】
各挿脱式捕獲箱１２は、ゴミ箱本体１１の正面に形成された挿脱開口２８（図２）から機器配置空間１７内に挿抜可能になっている。取っ手２０は、ゴミ箱本体１１の前面に固定され、挿脱式捕獲箱１２を挿脱する際に把持される。
【００３４】
（挿脱式捕獲箱の概略）
図２は、挿脱式捕獲箱１２の挿脱の説明図である。ゴミ箱本体１１の前面には、挿脱式捕獲箱１２を機器配置空間１７内に挿脱させる挿脱開口２８が複数（例：３つ）形成されている。挿脱式捕獲箱１２は、ゴミ箱本体１１の前後方向に長い直方体のケーシング２２を備えている。ケーシング２２は、後述の赤外光Ｒｉ１，Ｒｉ２を吸収して、反射を抑制するため、内面が黒色に着色されている。
【００３５】
捕獲箱入口２５は、ネズミ４０（図４）が通過可能な大きさ（寸法）になっている。シャッタ２１は、捕獲箱入口２５を開放する開放位置と閉鎖する閉鎖位置との間で揺動可能に、上辺においてケーシング２２の内面側の上端部に結合している。
【００３６】
挿脱式捕獲箱１２が機器配置空間１７に装着されている状態では、各ケーシング２２の後端とゴミ箱本体１１の奥側の内面との間には、所定の後ろ空間が残されている。ネズミ進入口３０は、この後ろ空間に臨むようにゴミ箱本体１１の底壁１９に形成されている。
【００３７】
図３は、ネズミ４０が挿脱式捕獲箱１２の捕獲空間２３に進入する経路の説明図である。ケーシング２２内には、捕獲空間２３内の前端部の底面にエサ３２が仕掛けられる。ネズミ４０は、載置面１６とゴミ箱本体１１の底壁１９との間の空間からネズミ進入口３０を通って、機器配置空間１７に進入する。次に、ネズミ４０は、開放状態の捕獲箱入口２５（図３では、シャッタ２１は開放位置ではなく、閉鎖位置で図示されている。）を通って、捕獲空間２３に進入する。
【００３８】
（閉鎖機構／ソレノイド式）
図４は、閉鎖機構が電気式となっている挿脱式捕獲箱１２の斜視図である。アクチュエータ５０は、機器配置空間１７において、挿脱式捕獲箱１２の後端部に隣接して配設されている。アクチュエータ５０は、ソレノイドを内蔵し、ソレノイドの通電による電磁力を利用して、係合ピン５１を進退させるソレノイド式のアクチュエータである。挿脱式捕獲箱１２の後端部の側壁の上部には挿通孔（図示せず）が穿設されており、係合ピン５１は、該挿通孔を介して捕獲空間２３のシャッタ２１の揺動経路に対して進退する。
【００３９】
圧力センサ５７は、重量ゲージから成り、ケーシング２２の底面に敷設されている。圧力センサ５７は、配線５８は、圧力センサ５７の検圧信号としての検出信号をアクチュエータ５０（進入判別装置）に伝える。図示していないが、配線５８は、ゴミ箱本体１１からの挿脱式捕獲箱１２の挿抜を可能にするため、コネクタ（図示せず）を介して挿脱式捕獲箱１２側の配線と分離可能に接続されている。
【００４０】
ネズミ４０の捕獲開始時では、すなわち、挿脱式捕獲箱１２を機器配置空間１７に挿入、セットした時の状態では、シャッタ２１は、揺動して捕獲箱入口２５を開放した開放位置にシャッタ２１を保持する。詳細には、アクチュエータ５０の係合ピン５１がケーシング２２内に所定の挿通孔を介して突出した突出位置にある。これにより、開放位置のシャッタ２１は、係合ピン５１により下方への揺動を阻止され、開放位置に保持される。
【００４１】
ネズミ４０が、捕獲箱入口２５から捕獲空間２３内に進入して、圧力センサ５７に接触すると、圧力センサ５７の検圧が、ネズミ４０の重量により変化する。アクチュエータ５０は、圧力センサ５７の検出信号からネズミ４０が捕獲空間２３内に進入したことを検知し、係合ピン５１を挿脱式捕獲箱１２の外へ退避させる。これにより、シャッタ２１は、それ自身の重量又は不図示のばねの付勢力に従って、揺動し、捕獲箱入口２５を閉鎖する。この結果、ネズミ４０は、捕獲空間２３に閉じ込められ、捕獲される。
【００４２】
（開き止め機構／その１）
挿脱式捕獲箱１２は、開き止め機構６０を備えている。挿脱式捕獲箱１２内にネズミ４０が捕獲されたことが管理センター等に通知されると、作業員が、ネズミ捕獲装置１０に出向き、挿脱式捕獲箱１２をネズミ捕獲装置１０から脱離する。
【００４３】
ネズミ４０を挿脱式捕獲箱１２で捕獲した後の作業として、挿脱式捕獲箱１２内のネズミ４０を捕殺する等の作業が必要になる。ネズミ捕獲装置１０の配備場所で行うことは不向きであり、作業員は、ネズミ捕獲装置１０から脱離した挿脱式捕獲箱１２を適切な場所に運ぶ必要がある。
【００４４】
しかしながら、運搬中、シャッタ２１が不用意に開いてしまうと、ネズミが捕獲箱入口２５から逃げ出してしまう可能性がある。開き止め機構６０は、そのような作業中のシャッタ２１の不用意な開きを防止する。
【００４５】
開き止め機構６０は、連結棒６１、摘み６２及び止め板６３を備えている。摘み６２は、ケーシング２２の前面に配置され、作業員がケーシング２２の外から摘み６２を把持して回転操作可能になっている。止め板６３は、捕獲箱入口２５を内側に画成するケーシング２２の後壁の周縁部に揺動可能に取り付けられている。連結棒６１は、ケーシング２２の一方の側壁の下端部に沿ってケーシング２２の前後方向に延在し、両端においてそれぞれ摘み６２及び止め板６３に結合している。
【００４６】
作業員が摘み６２を把持して回転操作すると、回転変位が連結棒６１を介して止め板６３に伝達され、止め板６３が回転する。シャッタ２１が捕獲箱入口２５を閉鎖している閉鎖位置にあるときに、止め板６３が、先端部を捕獲箱入口２５の周縁を越えて、内側に突出させたロック位置にされる。これにより、止め板６３は、ストッパとしてシャッタ２１を裏面（内面）から捕獲箱入口２５の方へ抑え、シャッタ２１が捕獲箱入口２５から離れることを阻止する。
【００４７】
止め板６３は、シャッタ２１が開放位置にあるときは、先端部を捕獲箱入口２５の周縁の外側に退避させた非ロック位置にある。これにより、シャッタ２１は、止め板６３と干渉することなく、開放位置から閉鎖位置に揺動可能とされる。
【００４８】
作業員は、ネズミ４０が中に捕獲されている挿脱式捕獲箱１２をネズミ捕獲装置１０の設置場所から他の場所に運ぶことがある。そのときには、作業員は、シャッタ２１が不用意に開くことを防止するため、摘み６２を回転操作して、止め板６３をロック位置にしてから、移動開始する。
【００４９】
なお、作業員によるシャッタ２１の開き止めは、作業員が、挿脱式捕獲箱１２をネズミ捕獲装置１０から脱離する前でも行うことができる。
【００５０】
（閉鎖機構／機械式／その１）
図５は、閉鎖機構７０が機械式となっている挿脱式捕獲箱１２の斜視図である。閉鎖機構７０は、踏板７１、ステー７２、ワイヤ７３及び係合部材７４を備える。踏板７１は、挿脱式捕獲箱１２の前後方向の中間部においてケーシング２２内の底面に取り付けられている。踏板７１は、前後方向の両側の端部を前後方向の中間の支点の回りに揺動させるシーソー構造になっている。踏板７１の揺動は、ステー７２及びワイヤ７３を介して係合部材７４に伝えられる。
【００５１】
ネズミ４０が開放状態の捕獲箱入口２５から捕獲空間２３内に進入して、踏板７１の前端部を踏み込むと、前端部は、ネズミ４０の重量を受けて、不図示のばねの付勢力に抗して下降する。なお、ばねを省略することもできる。その場合は、踏板７１の後端側に所定の重量の重錘をつけておくか、支点に対して後端側の長さを前端側に対して長くしておく。
【００５２】
係合部材７４は、踏板７１の前端部の下降による揺動に連動して、揺動し、係合部材７４は、開放位置のシャッタ２１から退避した位置に揺動して、係合を解除する。これにより、シャッタ２１は、自由端側の重量及び／又は不図示のばねの付勢力で開放位置から閉鎖位置に揺動し、捕獲箱入口２５を閉鎖する。
【００５３】
（閉鎖機構／機械式／その２）
図６は、機械式の別の閉鎖機構８０を備える挿脱式捕獲箱１２の斜視図である。図７は、図６の挿脱式捕獲箱１２を上方から示した模式図である。この挿脱式捕獲箱１２では、捕獲箱入口８９は、ケーシング２２の後端ではなく、ケーシング２２の底壁の後端部に形成されている。捕獲箱入口８９の位置は、挿脱式捕獲箱１２を機器配置空間１７に装着したときに、捕獲箱入口２５に重なる位置になっている。
【００５４】
閉鎖機構８０は、踏板８１、ワイヤ８２、係合部材８３、捩じりばね８４及び係合ピン８５を備える。踏板８１は、踏板７１（図５）と同一の構造を有する。係合部材８３は、ケーシング２２の正面視の横幅方向の軸の回りに揺動可能にケーシング２２に結合している。ワイヤ８２は、踏板８１の前端と係合部材８３の前端とを連結している。捩じりばね８４は、踏板８１の後端とシャッタ８８の前端との間に介在し、シャッタ８８を後方に付勢している。
【００５５】
ネズミ４０が、踏板８１の前端側を踏むと、該前端側は、ネズミ４０の重量により下降する。これにより、ワイヤ８２は、踏板８１の前端側の下降により前方に引っ張られ、係合部材８３の後端を上方に揺動させる。この結果、係合部材８３によるシャッタ８８の係止が解除され、シャッタ８８は、捩じりばね８４の付勢力により後方へ移動し、開放位置から捕獲箱入口８９を閉鎖する閉鎖位置に切り替わる。
【００５６】
ネズミ４０が踏板８１の前端側を踏んだ時、ネズミ４０の長いしっぽが捕獲箱入口８９の外にあることがある。しかし、閉鎖位置へのシャッタ８８の摺動に伴って、ネズミ４０のしっぽがその前端の方から徐々にシャッタ８８の上面に移動していくので、しっぽがシャッタ８８と捕獲箱入口８９の後縁との間に挟まれて、シャッタ８８が完全に閉まらないことが防止される。
【００５７】
（開き止め機構／その２）
図８は、開き止め機構としての湾曲ばね９５の構成図である。連結棒６１（図４）が自動的にシャッタ２１の開き止めを行う。シャッタ２１は、開放位置から閉鎖位置Ｐｃに切り替わるときに、途中位置Ｐｑを経る。
【００５８】
湾曲ばね９５は、捕獲箱入口２５の近傍のケーシング２２の側壁の内面の箇所に基端９６において固定され、自由端側を後方の捕獲箱入口２５の方へ伸ばしている。
【００５９】
湾曲ばね９５は、中間部において横方向（水平方向）の内側に張り出す凸部９７を有している。湾曲移行部９８は、基端９６と凸部９７との間に位置し、基端９６から凸部９７の方へ進むに連れて、横方向内側への張り出し量を緩やかに増大させている。これに対し、対峙部９９は、凸部９７よりほぼ直角に屈曲して閉鎖位置Ｐｃの捕獲箱入口２５に対して平行に対峙する。
【００６０】
ネズミ４０が捕獲空間２３内に進入したことが検出されると、シャッタ２１が開放位置が閉鎖位置Ｐｃに切り替わる。その際、シャッタ２１は、途中位置Ｐｑにおいて、側縁を湾曲移行部９８に接触させる。湾曲ばね９５は、横方向に弾力性を有するとともに、湾曲移行部９８は緩やかに横方向の突出量を変化させている。これにより、シャッタ２１は、湾曲移行部９８を横方向外側に押し広げつつ、凸部９７を乗り越え、閉鎖位置Ｐｃとなる。
【００６１】
シャッタ２１は、閉鎖位置Ｐｃから途中位置Ｐｑの方へ揺動しようとするとき、対峙部９９は、ストッパとして作用し、シャッタ２１を閉鎖位置Ｐｃに保持する。
【００６２】
なお、湾曲ばね９５の開き止め力は、弱いので、シャッタ２１をその外面側から指で強く押せば、簡単に解除することができる。
【００６３】
（ネズミ検出部）
図９は、ネズミ検出部１００の構成図である。ネズミ検出部１００は、１つの制御装置１０１と、複数のアクチュエータ５０とを備え、挿脱式捕獲箱１２と共に機器配置空間１７に配設されている。制御装置１０１は、電源部１０２と、制御部１０３とを備える。なお、電源部１０２は、典型的には、電源コード等の外部配線を介してネズミ捕獲装置１０が設置される構内の商用電源のコンセントに接続される。商用電源の代わりに乾電池を使用することも可能である。
【００６４】
各アクチュエータ５０は、図４で前述した係合ピン５１の他に、赤外光Ｒｉ１を出射する光源１０７を備える。各アクチュエータ５０は、配線１１０を介して制御装置１０１に接続されている。配線１１０は、信号線、制御線及び給電線のハーネスである。
【００６５】
図１０は、赤外光Ｒｉ１によるネズミ４０の検出の説明図である。窓１１３は、ネズミ４０が通過できない寸法で、ケーシング２２の側壁に形成されている。窓１１３は、単なる透孔であってもよいし、赤外光Ｒｉ１が透過可能なガラス等が嵌められていてもよい。  
【００６６】
ケーシング２２の内面は、シャッタ２１の内面の一部を除き、赤外光Ｒｉ１を吸収する黒色になっている。アクチュエータ５０は、光源１０７の他に、窓１１３を介して捕獲空間２３から挿脱式捕獲箱１２の外へ出射する赤外光Ｒｒ１（符号無し）受光する不図示の受光素子（例：ＰＤ（Photo Detector））を備える。
【００６７】
制御部１０３は、各アクチュエータ５０の受光素子の赤外光の受光量に基づいて捕獲空間２３におけるネズミ４０の存否を検出する進入判別部を含む。ネズミ４０が捕獲空間２３に居るときは、ネズミ４０が赤外光Ｒｉ１を反射する。これにより、窓１１３から捕獲空間２３内に出射した赤外光Ｒｉ１に対してネズミ４０が反射して窓１１３から外に出射してくる赤外光Ｒｉ１（不図示）の光量が増大する。したがって、窓１１３の外に配設された受光素子の赤外光の受光量から捕獲空間２３内のネズミ４０の存否を検出することができる。
【００６８】
（閉鎖検出部）
図１１は、閉鎖検出部１２０の構成図である。閉鎖検出部１２０では、捕獲箱入口２５の近辺のケーシング２２の側壁部に窓１２１が設けられる。図１１では、ゴミ箱本体１１の正面視でケーシング２２の右側の側壁に窓１２１が形成されているが、窓１１３（図１０）と同様に、左側の側壁に形成することもできる。その場合、窓１２１の位置は、窓１１３の位置より低い位置とされる。ネズミ４００の検出は、ケーシング２２の高い箇所から赤外光Ｒｉ１を照射することが有利であるのに対し、シャッタ２１の閉鎖位置の検出は、シャッタ２１の下端を検出することが有利であるからである。
【００６９】
図１１では、図示が省略されているが、赤外光Ｒｉ２を端末側無線通信部２１１から照射するために、光源１０７とは別に、窓１２１の外に赤外光Ｒｉ２の光源と、赤外光Ｒｉ２の赤外光Ｒｉ２を受光する受光素子が配設されている。
【００７０】
シャッタ２１が閉鎖位置にあるか否かを検出するためには、シャッタ２１の内面において、赤外光Ｒｉ２が照射される部分は、黒ではなく赤外光Ｒｉ２を反射し易い白になっていることが望ましい。その方が赤外光Ｒｉ２の光量が増大するからである。
【００７１】
窓１２１の外に配設した受光素子により窓１２１を介して捕獲空間２３から外に出射して来る赤外光Ｒｉ２の反射光の受光量に基づいて、シャッタ２１が閉鎖位置にあるか否かを検出することができる。
【００７２】
ネズミ検出部１００とは別に閉鎖検出部１２０を装備した理由は、閉鎖機構の誤動作やネズミ４０の巧みな脱出により、ネズミ４０が捕獲空間２３にいないにもかかわらず、シャッタ２１が閉鎖位置になっていることが起こり得るからである。そのような場合では、ネズミ４０の捕獲が困難な状態であるので、至急に作業員が現場に出向き、シャッタ２１を開放位置に戻す等の作業を行うことになる。
【００７３】
また、ネズミ検出部１００の赤外光Ｒｉ１の出射用の光源１０７の点灯と、閉鎖検出部１２０の赤外光Ｒｉ２の出射用の光源の点灯とは、同時に行わず、時刻を変えて実施する。ネズミ検出部１００及び閉鎖検出部１２０の各受光素子が、対応しない方の光源からの反射光を検出してしまい、誤検出が起きるのを防止するためである。
【００７４】
（ネズミ捕獲システム）
図１２は、ネズミ捕獲システム２００の構成図である。監視サイト２０１は、例えば鉄道駅等の単一又は複数のネズミ捕獲装置１０が設置されるサイトである。監視サイト２０１ごとに単一のゲートウェイ２０２が配備される。各監視サイト２０１のゲートウェイ２０２と、サーバ２０５とは、インターネット２０８を介してデータを送受する。
【００７５】
図１３は、ゲートウェイ２０２のハードウェア構成のブロック図である。ゲートウェイ２０２は、制御部２１０と、制御部２１０に接続されている端末側無線通信部２１１、ネット側無線通信部２１２、メモリ２１３及びクロック２１４とを備える。
【００７６】
端末側無線通信部２１１は、端末側無線通信部２１１と同一の監視サイト２０１に配備されている単一又は複数のネズミ捕獲装置１０と無線でデータを送受する。この通信方式には、例えばＳｕｂ−ＧＨｚ無線による通信が利用される。
【００７７】
ネット側無線通信部２１２は、インターネット２０８と接続され、インターネット２０８を介してサーバ２０５とデータを送受する。
【００７８】
各ネズミ捕獲装置１０の制御部１０３は、毎日定期時刻になると、又は一定の時間間隔ごとにネズミ検出部１００及び閉鎖検出部１２０を作動させて、ケーシング２２内のネズミ４０の存否とシャッタ２１が閉鎖位置にあるか否かを検出するようになっている。そして、検出情報は、制御部１０３の識別子ＩＤの情報と共に、ゲートウェイ２０２に送られて、ゲートウェイ２０２は、メモリ２１３にそれらの情報を受信時刻の情報に対応付けて記憶するようになっている。
【００７９】
図１４は、サーバ２０５のハードウェア構成のブロック図である。サーバ２０５は、制御部２２０と、制御部２２０との間でデータを送受可能になっているデータベース２２１及び表示器２２２とを備えている。
【００８０】
制御部２２０は、さらに、ポーリング部２２５、存否判定部２２６、閉鎖判定部２２７及び判定結果出力部２２８を備えている。
【００８１】
図１５は、ネズミ捕獲装置１０に装備されている制御部１０３（図９）が実施する監視処理のフローチャートである。なお、制御部１０３は、タイマー又はクロックを内蔵している。このフローチャートでは、ポーリングのタイミングを検出するために、タイマーを利用している。
【００８２】
Ｓ２３１では、制御部１０３は、タイマーの出力に基づいて設定時間が経過したか否かを判定する。タイマーの設定時間は、ネズミ捕獲装置１０におけるネズミの存否情報及びシャッタ２１の閉鎖情報の収集間隔を決定する。なお、捕獲情報という場合は、少なくとも存否情報及び閉鎖情報を含むものとする。
【００８３】
制御部１０３は、Ｓ２３１の判定が肯定的であるときは、処理をＳ２３２に進ませ、否定的であるときは、処理を終了する。
【００８４】
Ｓ２３２では、制御部１０３は、赤外光光源を点灯する。この赤外光光源には、図１０の赤外光Ｒｉ１を出射する光源１０７だけでなく、図１１の赤外光Ｒｉ２を出射する不図示の光源との両方を含む。複数の赤外光光源の点灯は、同時ではなく、時間をずらす。ネズミ検出部１００及び閉鎖検出部１２０の受光素子が、対応する赤外光の光源が出射した赤外光に対する反射光の受光量を正確に検出させるためである。
【００８５】
Ｓ２３３では、制御部１０３は、受光素子の受光量Ｒｎ１，Ｒｎ２を検出する。受光量Ｒｎ１，Ｒｎ２は、それぞれ赤外光Ｒｉ１，Ｒｉ２に対する反射光の受光量に対応する。すなわち、受光量Ｒｎ１は、捕獲空間２３におけるネズミ４０の存否を判別する処理に使用され、受光量Ｒｎ２は、シャッタ２１の閉鎖位置を判別する処理に使用される。これらは、ネズミ捕獲装置１０についてのネズミ４０の捕獲情報（⊃存否情報＋閉鎖情報）を構成する。
【００８６】
制御部１０３は、その他として受光量Ｒｎ，Ｒｎ２の検出時刻もゲートウェイ２０２に送信することができる。なお、ゲートウェイ２０２は、制御部１０３から検出時刻に関する情報を受信しなくても、各受信時刻を検出時刻とすることができる。
【００８７】
ゲートウェイ２０２は、それが管轄するネズミ捕獲装置１０の全部から捕獲情報及び閉鎖情報を受信し、サーバ２０５からのポーリングがあるまで、メモリ２１３に記憶しておく。
【００８８】
Ｓ２３４では、制御部１０３は、識別子ＩＤ及び受光量Ｒｎ１，Ｒｎ２に関する情報をゲートウェイ２０２へ無線で送る。前述したように、この無線通信には、Ｓｕｂ−ＧＨｚ無線が使用される。
【００８９】
識別子ＩＤは、監視サイト２０１を特定するだけでなく、監視サイト２０１のどの場所のネズミ捕獲装置１０であるかを特定する情報となる。後述のデータベース２２１（サーバ２０５）には、ネズミ捕獲装置１０の識別子ＩＤと、該識別子ＩＤに対応付けられる制御装置１０１の存在場所（＝ネズミ捕獲装置１０の設置場所）とが対応付けられて記憶されている。
【００９０】
図１６は、サーバ２０５の制御部２２０（図１４）が実施する処理のフローチャートである。
【００９１】
Ｓ２４１では、ポーリング部２２５は、現在時刻がポーリング時刻であるか否を判定する。ポーリング時刻は、毎日の単一又は複数の一定時刻が設定されているか、一定時間間隔が割り当てられている。ポーリング時刻は、監視サイト２０１別に割り当てることができる。
【００９２】
Ｓ２４２では、ポーリング部２２５は、ゲートウェイ２０２に対してポーリングを実行する。
【００９３】
Ｓ２４３では、ポーリング部２２５は、Ｓ２４２のポーリングに該当するポーリング部２２５から捕獲情報を収集する。捕獲情報は、具体的には、前述のＳ２３４で説明した各ネズミ捕獲装置１０の識別子ＩＤ及び受光量Ｒｎ１，Ｒｎ２を含む。捕獲情報には、各ネズミ捕獲装置１０の捕獲空間２３におけるネズミ４０の存否情報と、シャッタ２１の閉鎖位置情報が含まれる。
【００９４】
Ｓ２４４では、捕獲情報が判定される。捕獲情報のうち存否情報からのネズミ４０の存否の判定は、存否判定部２２６が実施する。閉鎖位置情報の判定は、閉鎖判定部２２７が実施する。
【００９５】
（変形例）
実施形態では、ネズミ捕獲装置１０は、鉄道駅の構内に配備されている。本発明のネズミ捕獲装置は、多数の人の出入りする場所であれば、野球場等のスポーツ会場、イベント会場、及び空港等、種々のサイトに配備することができる。
【００９６】
実施形態では、ケーシング２２の前端部は閉鎖されているが、空気の通り抜けが悪いと、ネズミ４０がそれを感じて、捕獲空間２３に進入しないことがあり得る。これに対処して、ケーシング２２の前端部に、ネズミ４０の通り抜けできない程度の換気孔を形成することもできる。
【００９７】
実施形態の図１では、１つのゴミ箱本体１１に挿脱式捕獲箱１２が３つ装着されている。これに対し、本発明では、１つのゴミ箱本体に装着する挿脱式捕獲箱の個数は、１以上であれば、何個でもよい。
【００９８】
実施形態の図１では、説明の便宜上、挿脱式捕獲箱１２の前面が、ゴミ箱本体１１から露出している。通行人や客等への見た目や、いたずらを防止するために、挿脱式捕獲箱１２の前面を適切なカバーで隠すことができる。
【００９９】
実施形態では、監視サイト２０１とサーバ２０５とは、インターネット２０８を介して接続されている。これに対し、本発明のネットは、イントラネットであってもよい。
【符号の説明】
【０１００】
１０・・・ネズミ捕獲装置、１１・・・ゴミ箱本体、１２・・・挿脱式捕獲箱、１７・・・機器配置空間、２１，８８・・・シャッタ、２２・・・ケーシング、２３・・・捕獲空間、２５，８９・・・捕獲箱入口、２８・・・挿脱開口、３０・・・ネズミ進入口、４０・・・ネズミ、５０・・・アクチュエータ、５１・・・係合ピン、５７・・・圧力センサ、６０・・・開き止め機構、６３・・・止め板、７０，８０・・・閉鎖機構、７１，８１・・・踏板、７４・・・係合部材、８３・・・係合部材、８５・・・係合ピン、９５・・・湾曲ばね、１００・・・ネズミ検出部（通知部）、１０７・・・光源、１２０・・・閉鎖検出部、２００・・・ネズミ捕獲システム、２０２・・・ゲートウェイ、２０５・・・サーバ、２０８・・・インターネット（ネット）、２２５・・・ポーリング部、２２６・・・存否判定部、２２７・・・閉鎖判定部、２２８・・・判定結果出力部。
【要約】
【課題】ゴミ箱においてネズミを捕獲する場合の捕獲前後の作業を能率化するネズミ捕獲装置を提供する。
【解決手段】ネズミ捕獲装置１０は、隔壁１８により上側のゴミ収容空間１３と下側の機器配置空間１７とに分離されているゴミ箱本体１１と、隔壁１８より下において水平方向にゴミ箱本体１１の外側から機器配置空間１７内に出し入れ可能にされている挿脱式捕獲箱１２とを備える。挿脱式捕獲箱１２は、奥側の端部において、ゴミ箱本体１１のネズミ進入口３０を通して機器配置空間１７内に進入したネズミが通る捕獲箱入口２５と、捕獲箱入口２５を開閉自在に閉じるシャッタ２１とを奥側の端部に有する。
【選択図】図３【図１】
0006896136.tif 000002
【図２】
0006896136.tif 000003
【図３】
0006896136.tif 000004
【図４】
0006896136.tif 000005
【図５】
0006896136.tif 000006
【図６】
0006896136.tif 000007
【図７】
0006896136.tif 000008
【図８】
0006896136.tif 000009
【図９】
0006896136.tif 000010
【図１０】
0006896136.tif 000011
【図１１】
0006896136.tif 000012
【図１２】
0006896136.tif 000013
【図１３】
0006896136.tif 000014
【図１４】
0006896136.tif 000015
【図１５】
0006896136.tif 000016
【図１６】
0006896136.tif 000017